(57)【要約】【課題】ファインダカムが撮影レンズ鏡筒の収納動作時には連動が解除されることで円筒形カムの不用領域を無くしたズームファインダ装置を提供する。【解決手段】装置本体と複数のファインダレンズと撮影レンズ鏡筒のズーミングに連動して複数のファインダレンズの少なくとも１つをピントの合わない位置から撮影レンズ鏡筒の広角位置及び望遠位置に対応する位置に移動してズーミングを行うファインダカムを設けた筒状部と該筒状部と撮影レンズ鏡筒をズーミングする鏡筒変倍カムとを連結して撮影レンズ鏡筒のズーミング時の駆動を筒状部に伝える連結ギアとからなる円筒状カムと、を備えるズームファインダ装置で、筒状部は装置本体側に第１の凸部を備え撮影レンズ鏡筒が収納位置に駆動されるときは複数のファインダレンズの少なくとも１つをピントの合わない位置まで移動後装置本体に備えた第２の凸部と第１の凸部が当接して連結ギアとの連動を解除する。【選択図】  図２
2008070843.tif 000002
【特許請求の範囲】
【請求項１】
装置本体と、複数のファインダレンズと、撮影レンズ鏡筒のズーミングに連動して該複数のファインダレンズの少なくとも１つをピントの合わない位置から前記撮影レンズ鏡筒の広角位置及び望遠位置に対応する位置に移動してズーミングを行うファインダカムを設けた筒状部と該筒状部と前記撮影レンズ鏡筒をズーミングする鏡筒変倍カムとを連結して該撮影レンズ鏡筒のズーミング時の駆動を前記筒状部に伝える連結ギアとから構成される円筒状カムと、を備えるズームファインダ装置であって、
前記筒状部は、前記装置本体側に第１の凸部を備え、前記撮影レンズ鏡筒が収納位置に駆動されるときは前記複数のファインダレンズの少なくとも１つを前記ピントの合わない位置まで移動後、前記装置本体に備えた第２の凸部と前記第１の凸部が当接することにより前記連結ギアとの連動を解除することを特徴とするズームファインダ装置。
【請求項２】
請求項１に記載のズームファインダ装置において、前記連結ギアとの連動が解除された前記筒状部は、前記撮影レンズ鏡筒が前記収納位置まで駆動されても前記ピントの合わない位置に係止されることを特徴とするズームファインダ装置。
【請求項３】
請求項１に記載のズームファインダ装置において、前記筒状部は前記連結ギア側に第３の凸部を備え、前記撮影レンズ鏡筒が収納位置から前記広角位置に駆動されるときは、該第３の凸部が前記連結ギアに設けた第４の凸部と当接することにより、前記連結ギアと連動することを特徴とするズームファインダ装置。
【請求項４】
請求項１乃至３の何れか一項に記載のズームファインダ装置において、前記筒状部は、前記撮影レンズ鏡筒の望遠位置方向から収納位置方向へ付勢する弾性部材を同軸上に有することを特徴とするズームファインダ装置。
【請求項５】
請求項４に記載のズームファインダ装置において、前記弾性部材の一端は前記筒状部に係止され、他端は前記装置本体に係止されていることを特徴とするズームファインダ装置。
【請求項６】
ファインダ枠と、複数のファインダレンズと、前記複数のファインダレンズを付勢する付勢部材と、撮影レンズ鏡筒のズーミングに連動して該複数のファインダレンズの少なくとも１つをピントの合わない位置から前記撮影レンズ鏡筒の広角位置及び望遠位置に対応する位置に移動してズーミングを行う円弧状カムと、を備えたとズームファインダ装置において、
前記円弧状カムは、前記複数のファインダレンズの少なくとも１つを係合するカム溝をファインダ枠側に備え、該カム溝は、前記ズーミングを行う使用領域と、該使用領域と連続して前記円弧状カムの一端部に至る、前記ズーミングを行わない不使用領域からなることを特徴とするズームファインダ装置。
【請求項７】
請求項６に記載のズームファインダ装置において、前記円弧状カムは、前記ファインダ枠が前記撮影レンズ鏡筒に固定されている時は、前記使用領域内で移動可能に支持されて移動され、前記ファインダ枠が前記撮影レンズ鏡筒との固定を解除されたときは、前記不使用領域へ移動可能であることを特徴とするズームファインダ装置。
【請求項８】
請求項６又は７に記載のズームファインダ装置において、前記不使用領域では、前記付勢部材の力量はゼロであることを特徴とするズームファインダ装置。
【請求項９】
請求項１乃至８の何れか一項に記載のズームファインダ装置を備えたことを特徴とするズームレンズ鏡筒。
【請求項１０】
請求項９に記載のズームレンズ鏡筒を備えたことを特徴とする撮像装置。
【発明の詳細な説明】
【技術分野】
【０００１】
本発明はズーミング機能を有する撮影レンズ系に連動してズーミングするズームファインダ装置に関し、特に、ファインダレンズを駆動するカムを不使用領域で撮影レンズ系の駆動との係合を解除することでカムを必要最小の長さにしてスペースの効率化を図ることが可能なファインダ装置に関するものである。
【背景技術】
【０００２】
従来のズームファインダ装置をズーミングさせるファインダカムの多くは撮影レンズ鏡筒の駆動を円筒形カムにダイレクトに伝達し、その円筒形カムの駆動によってレンズを移動させてズーミングを行っている。しかし沈胴式カメラにおいては、収納状態から使用状態（多くの場合は広角端）の間は撮影レンズ鏡筒の動作中は、ズームファインダ装置はズーミングをしないにも関わらずファインダカムは撮影レンズ鏡筒の駆動により駆動されている。
【０００３】
また撮影レンズ鏡筒とは別のアクチュエータによってズームファインダ装置を駆動し、使用状態でのみ駆動していたりしていた。しかしファインダカムを撮影レンズ鏡筒でダイレクトに駆動した場合、カメラの収納状態から使用状態の間もカムを形成する必要があり、無駄なスペースを必要としたりファインダカムのカムの圧力角が急になったりする不具合がある。また別のアクチュエータでズームファインダ装置を駆動した場合、当然コストの問題や消費電流の問題が出てくる。また、ただ単に収納状態から使用状態の間に撮影レンズ鏡筒からの駆動を遮断するだけでは、ユーザーはカメラが使用可能状態であるかを判別しにくいという問題点があった。
【０００４】
このような問題点を解決するために、特許文献１では、焦点距離変更領域内では撮影レンズ鏡筒とズームファインダ装置を連動状態にし、収納作動領域内では非連動に保つ手段が開示されている。
また、特許文献２においては、ファインダカムとファインダ駆動ギア列の間に摩擦クラッチを挟み、広角端と望遠端の間以外は摩擦クラッチを滑らせてファインダカムの駆動を止めている。特許文献３においては、撮影光学系の直進筒と一体的に駆動される部材でファインダ光学系の視野の大きさを変えている。さらに、特許文献４では、撮影光学系が変倍動作を行うときは撮影光学系とファインダ光学系とが連動し、撮影光学系が合焦動作を行うときは撮影光学系とファインダ光学系との連動が断たれる構造が開示されている。
特許文献５では、撮影光学系が広角状態と沈胴状態との間のうちの一部または前部において移動するときはファインダ駆動部材は駆動を停止する構造が開示されている。
【０００５】
また、従来のズームファインダ装置をズーミングさせるファインダカムの多くはファインダ枠に係合された円筒状のものであった。しかしこの構造では組付けの際、または修理の際にファインダカム自体の係合とファインダカムとファインダ装置本体の係合を一度に組付けをしなければならない不具合があった。近年になり、ファインダカムを平板状または円弧状に形成して、撮影レンズ鏡筒側に保持させた構造を取るものが出て来ている。しかしこの構造ではファインアカムの移動スペースをかなり必要とし、またズームファインダ装置単体の性能評価の際に撮影レンズ鏡筒も必要で、また多くはズームファインダ装置の修理時に撮影レンズ鏡筒を取り外したりできず効率がよくない。
特許文献６では、撮影レンズ鏡筒の使用領域ではファインダカムにファインダレンズが係合、不使用領域では係合が解除される構造が開示されている。
また、特許文献５では、不使用領域ではファインダ駆動部材とファインダカムの係合が解除され、ファインダカムは移動しない機構を開示している。
【０００６】
特許文献７では、固定枠に所定範囲で移動可能に保持されたファインダカムを撮影レンズ鏡筒の駆動範囲外のファインダカム端部に移動させると、ファインダカムとファインダレンズの当接関係が解除可能になるという方法を開示している。
【特許文献１】特開平９−１８９９３１号公報
【特許文献２】特開２００２−６２５６３公報
【特許文献３】特開２０００−９８４５４公報
【特許文献４】特開平９−２１１５５４号公報
【特許文献５】特開平９−２６５１２１号公報
【特許文献６】特開平０９−２１１３００号公報
【特許文献７】特開平２００３−２１５６８７公報
【発明の開示】
【発明が解決しようとする課題】
【０００７】
しかしながら、特許文献１に記載された手段には、収納作動領域内ではズームファインダは広角端と同じ状態に保たれておりカメラの電源が入っているかどうかはファインダを覗いただけでは分からないという欠点がある。また、特許文献２の記載によっては部品点数が飛躍的に増え、コストアップになってしまう。特許文献３の記載は、直進筒は収納まで繰り込まれるため機構の大型化は避けられないという欠点がある。また、特許文献４には収納作動領域での挙動は表記されていない。また、特許文献５に記載された発明は単に広角状態と沈胴状態の間を平行カムにしているだけで、スペース的には有利にはなっていない。
【０００８】
加えて、ファインダ装置の組み付けの際の効率について、特許文献６に記載された発明では、部品点数が増えることによるコストアップになってしまうという問題がある。特許文献５に記載された機構では係合を解除するためにファインダ駆動部材を追加しなければならず、コストアップになってしまう。さらにファインダレンズに付勢部材が付いている際には組付け時に、ファインダカムに係合させるファインダレンズ全てを同時にファインダカムに組付けしなければならず、組立性は容易ではないという問題があり、特許文献７の方法には、ファインダカムが固定枠に保持されるため、ファインダ装置を固定枠に組み付ける時にファインダカムに係合させるファインダレンズ全てを同時にファインダカムに組付けしなければならず、組立性は容易ではないという問題があった。
【０００９】
本発明は、以上の問題点を鑑みてなされたものであり、ズームファインダ装置のファインダカムが撮影レンズ鏡筒の変倍動作時は連結ギアと連動されて撮影レンズ鏡筒と連動するが、収納動作時には連動が解除されることで前記円筒形カムの不用領域を無くしたズームファインダ装置を提供することを目的としている。
また、ファインダ枠が撮影レンズ鏡筒に固定されていない時には使用範囲外の位置へ移動可能で、その位置で円弧状カムの組付けを可能にすることで使用中の円弧状カムの脱落を防ぎ、良好な組付け性を備えたファインダ装置を提供することを目的とする。
【課題を解決するための手段】
【００１０】
上記の課題を解決するために、請求項１記載の発明は、装置本体と、複数のファインダレンズと、撮影レンズ鏡筒のズーミングに連動して該複数のファインダレンズの少なくとも１つをピントの合わない位置から前記撮影レンズ鏡筒の広角位置及び望遠位置に対応する位置に移動してズーミングを行うファインダカムを設けた筒状部と該筒状部と前記撮影レンズ鏡筒をズーミングする鏡筒変倍カムとを連結して該撮影レンズ鏡筒のズーミング時の駆動を前記筒状部に伝える連結ギアとから構成される円筒状カムと、を備えるズームファインダ装置であって、前記筒状部は、前記装置本体側に第１の凸部を備え、前記撮影レンズ鏡筒が収納位置に駆動されるときは前記複数のファインダレンズの少なくとも１つを前記ピントの合わない位置まで移動後、前記装置本体に備えた第２の凸部と前記第１の凸部が当接することにより前記連結ギアとの連動を解除することを特徴とする。
【００１１】
請求項２記載の発明は、請求項１に記載のズームファインダ装置において、前記連結ギアとの連動が解除された前記筒状部は、前記撮影レンズ鏡筒が前記収納位置まで駆動されても前記ピントの合わない位置に係止されることを特徴とする。
請求項３記載の発明は、請求項１に記載のズームファインダ装置において、前記筒状部は前記連結ギア側に第３の凸部を備え、前記撮影レンズ鏡筒が収納位置から前記広角位置に駆動されるときは、該第３の凸部が前記連結ギアに設けた第４の凸部と当接することにより、前記連結ギアと連動することを特徴とする。
請求項４記載の発明は、請求項１乃至３の何れか一項に記載のズームファインダ装置において、前記筒状部は、前記撮影レンズ鏡筒の望遠位置方向から収納位置方向へ付勢する弾性部材を同軸上に有することを特徴とする。
【００１２】
請求項５記載の発明は、請求項４記載のズームファインダ装置において、前記弾性部材の一端は前記筒状部に係止され、他端は前記装置本体に係止されていることを特徴とする。
請求項６記載の発明は、ファインダ枠と、複数のファインダレンズと、前記複数のファインダレンズを付勢する付勢部材と、撮影レンズ鏡筒のズーミングに連動して該複数のファインダレンズの少なくとも１つをピントの合わない位置から前記撮影レンズ鏡筒の広角位置及び望遠位置に対応する位置に移動してズーミングを行う円弧状カムと、を備えたとズームファインダ装置において、前記円弧状カムは、前記複数のファインダレンズの少なくとも１つを係合するカム溝をファインダ枠側に備え、該カム溝は、前記ズーミングを行う使用領域と、該使用領域と連続して前記円弧状カムの一端部に至る、前記ズーミングを行わない不使用領域からなることを特徴とする。
【００１３】
請求項７記載の発明は、請求項６に記載のズームファインダ装置において、前記円弧状カムは、前記ファインダ枠が前記撮影レンズ鏡筒に固定されている時は、前記使用領域内で移動可能に支持されて移動され、前記ファインダ枠が前記撮影レンズ鏡筒との固定を解除されたときは、前記不使用領域へ移動可能であることを特徴とする。
請求項８記載の発明は、請求項６又は７に記載のズームファインダ装置において、前記不使用領域では、前記付勢部材の力量はゼロであることを特徴とする。
請求項９記載の発明は、請求項１乃至８の何れか一項記載のズームファインダ装置を備えたズームレンズ鏡筒を特徴とする。
請求項１０記載の発明は、請求項９記載のズームレンズ鏡筒を備えたことを特徴とする。
【発明の効果】
【００１４】
ズームファインダ装置のファインダカムが、撮影レンズ鏡胴の変倍動作時には連結ギアと連動するが、収納動作時にはピントがずれる位置で連動が解除されることで、ファインダカムから不使用領域をなくして、スペースを有効に利用できるズームファインダ装置を提供できる。
【発明を実施するための最良の形態】
【００１５】
以下、本発明に図を用いて詳細に説明する。なお以下の実施例に記載される構成要素、種類、組み合わせ、形状、その相対配置などは特定的な記載がない限り、この発明の範囲をそれのみに限定する主旨ではなく単なる説明例に過ぎない。
図１は、本発明の第１の実施例にかかるファインダ装置を用いたズーム鏡筒１０の概略図である。
ズーム鏡筒１０は、撮影レンズの光軸を中心として回動する図示しない撮影レンズ鏡筒をズーミングする鏡筒変倍カム１と、それに固定されるズームファインダ装置本体２と、ズームファインダの駆動機構である円筒形カム１１から構成されている。
鏡筒変倍カム１自身は、公知のステッピングモータまたはＤＣモータ等により回転駆動される。
【００１６】
図２は、円筒形カム１１の構造を説明する概略図である。
円筒形カム１１は、ファインダカム３ｄを設けた筒状部３と、筒状部３を鏡胴変倍カム１と連結して、鏡筒変倍カムの駆動を筒状部３に伝える連結ギア４からなっている。
本実施例では、鏡筒変倍カム１と連結ギア４は、直接連結されているが、鏡筒変倍カム１の回転角によっては、間に複数の減速用ギアを配置して、筒状部３（ファインダカム３ｄ）の回転角を３６０度未満にしても構わない。それによって、筒状部３の成形が容易になり、コスト的に有利な効果が得られる。
【００１７】
付勢部材５は、筒状部３と、ズームファインダ装置本体２との間にかかり、筒状部３を回転方向（鏡筒変倍カム１の収納側）、光軸方向ともに付勢している。先端部５ａはズームファインダ装置本体２の図示しない切り欠き部に係止され、先端部５ｂは筒状部３の溝に係止されている。
ズームファインダ装置本体２は、ファインダカム３ｄによって駆動される変倍レンズ６、７を備える。これらが、ファインダカム３ｄによって双方に対して反対方向に移動されることで、ズームファインダ装置は変倍される。
また付勢部材９が変倍レンズ（ファインダレンズ）６、７に付勢するように、変倍レンズ６、７を支持する台座部分に設置されている。変倍レンズ６、７に反対方向の付勢を付け、カムフォロア６ａ、７ａをファインダカム３ｄのカム面３ｂ、３ｃに押し付けている。
【００１８】
筒状部材３（ファインダカム３ｄ）が回転すると、カム面３ｂ、３ｃに押しつけられたカムフォロア６ａ、７ａは、図５の展開図に示すようなファインダカム３ｄの形状に従って相対位置を変え、それに従って、変倍レンズの相対位置も変化し、ズーミングを行う構造となっている。
すなわち、ユーザーがカメラの電源を入れると、撮影レンズ鏡筒は収納位置から広角端へと移動し、それに連動して、ファインダカム３ｄは、変倍レンズ６、７を移動させる。
【００１９】
図４は、筒状部３を連結ギア４付近で切断した断面図である。
図４（ａ）は、撮影レンズ鏡筒が収納位置にあるときの、連結ギア４と筒状部３の関係を示す図である。
撮影レンズ鏡筒をズーミングする鏡筒変倍カム１の駆動を受けて、連結ギア４は、矢印の方向に回転する。この段階では、連結ギア４の駆動は筒状部３に伝わらないため、筒状部３は回転せず、ファインダカム３ｄもまた、変倍レンズ６、７を移動させない。
【００２０】
連結ギア４が回転して、凸部（第４の凸部）４ｂが、筒状部３に備えた凸部（第３の凸部）４ｃに当接する（図４（ｂ））。この時点のファインダカム３ｄの位置を所定位置と呼ぶ。
以後は、筒状部３と連結ギア４は一体的に回動して筒状部３に備えたファインダカム３ｄによって、変倍レンズ６、７を移動させ、ズームファインダ装置を変倍させることが出来る。
【００２１】
図４（ｃ）は、撮影レンズ鏡筒が広角位置にある時の状態を示す。説明上、この状態でのファインダカム３ｄの位置を撮影レンズ鏡筒に合わせて、広角位置と呼ぶ。撮影レンズ鏡筒が望遠位置にある場合についても同様に、ファインダカム３ｄの位置を望遠位置として説明する。
撮影レンズ鏡筒が望遠位置に到達するまで、筒状部３と連結ギア４は一体的に回動し、ファインダカム３ｄも、変倍レンズ６、７を移動させ続ける。
図５に示すように、ファインダカム３ｄの望遠位置から広角位置までの領域と、広角位置から所定位置までの領域は、連続して形成されている。このことにより、特に他の機構を追加しないで変倍レンズを駆動させることが出来る。
【００２２】
次に、撮影レンズ鏡筒を望遠位置から収納位置へ向かう場合について説明する。
この場合、連結ギア４は、逆方向に回転し、筒状部側凸部４ｂにも逆方向から当接して、筒状部３を駆動する。
図３に示すように、ズームファインダ装置本体２に、ストッパ（第２の凸部）２ａが設けられている。
ストッパ２ａは、筒状部３が、鏡胴変倍カムが広角位置鏡胴変倍カムが収納位置方向に回動されて、連結ギア４が１０度前後回動したときに、筒状部３の凸部（第１の凸部）３ａと当接し、筒状部３の回転を係止する（ｂ）。
【００２３】
これにより、筒状部３と、連結ギア４との連動が解除されて、連結ギア４の駆動は、筒状部に３に伝わらなくなる。
したがって、変倍レンズ６、７は、カムによって回動されずに、ピントが合わない位置（所定位置）のまま停止する。筒状部３は、その位置に係止されるようにすることで、不用意に筒状部３がズレたりすることはない。
このあと、鏡筒変倍カム１が、更に収納動作を継続した場合は連結ギア４のみが継続して回動する。
そのためズームファインダ装置は所定位置を過ぎた収納動作時には常にピントが合わず、ユーザーに使用不可だと知らせることが出来る。
【００２４】
また、収納動作時に連動を解除することによって、円筒状カムに不使用（不用）領域を設ける必要がなく、筒状部３（ファインダカム３ｄ）の回転角を３６０度にすることが出来、部品の型構造もスライド等の複雑な構造にする必要もないので、型代もコストダウンすることが可能である。
また、上記したように鏡筒変倍カム１の望遠端から収納方向への付勢部材５を備えたことで、所定位置での筒状部３の駆動を固定することが出来る。
【００２５】
また、付勢部材５を筒状部３と装置本体２にかけて取り付けたことで、筒状部３の回転方向の付勢と、回転軸方向のガタとりとを一つの弾性部材ですることができるために、コストダウンが図れる効果がある。
また、図４（ｂ）に示す所定位置は、広角位置と収納位置との間に設定してあるため、カメラの使用状態によって、ズームファインダ装置の性能に影響がでることはない。
なお、本発明においては、変倍レンズ６、７双方が移動する例を説明したが、複数の変倍レンズの少なくとも一つのみが移動し、他の変倍レンズは固定するようにしてもよい。
【００２６】
次に、本発明の第２の実施例を説明する。
第１の実施例に示した円筒状のファインダカムは、組付け、または修理の際にファインダカム自体の係合とファインダカムとファインダ装置本体の係合を一度に組付けなければならないという不都合あった。近年になり、ファインダカムを平板状または円弧状に形成して、撮影レンズ鏡筒側に保持させた構造を取るものが出て来ている。
図６は本実施例に係るファインダ装置３０の外観図である。図７はファインダ装置３０中の変倍レンズ２７、２８を示す図で、図８は第３の位置における変倍レンズと円弧状カムの位置関係を示す図で、図９は円弧状カム上に形成されているカム溝３１の一例の展開図である。
【００２７】
本実施例のズームファインダ装置においては、図６に示すように、円弧状のファインダカムである円弧状カム２１がファインダ装置本体２４のファインダ枠下２４ｂに、矢印方向に摺動可能に係合されている。
ファインダ装置本体２４は、図６、７に示すように、変倍レンズ２３に加えて、軸２６に固定された変倍レンズ２７、２８が、ファインダ枠上２４ａとファインダ枠下２４ｂからなるファインダ枠２４内に収容され、変倍レンズ２７、２８は、付勢部材２９によって反対方向に付勢されている。
図示しない撮影レンズ鏡筒がズーミングして長焦点側へ移動すると円弧状カム２１を矢印方向に回転し、変倍レンズをズーミングさせる。この場合、カムフォロア２７ｂ、２７ｃが、カム溝３１に係合し、円弧状カム２１の移動に伴って、カム溝３１の形状に従って相対位置を変化させることで変倍レンズを変倍させる構造である。
【００２８】
図６の状態は撮影レンズ鏡胴が長焦点側（望遠位置）にあるときの、円弧状カム２１の位置を示す図である。
また、逆に撮影レンズ鏡筒が短焦点側へ戻るときには付勢部材５によって円弧状カム２１は矢印の反対側へ引き戻される。
撮影レンズ鏡筒が短焦点側（広角位置）からさらに、収納位置へ移動する場合、撮影レンズ鏡筒は引き続き回転するが、円弧状カム２１はファインダ枠下２４ｂのストッパ２１ａと円弧状カム２１のストッパ２２ａが当接することによって、保持される。
【００２９】
図９は、ズームファインダ装置のズーミング位置を示した図である。カムフォロア２７ｂ、２７ｃがＡの位置にある時は、撮影レンズ鏡筒が長焦点位置にあり、Ｂにあるときは、短焦点位置にある。Ｃは、図８に示すように、円弧状カム２１が、変倍レンズ２７、２８のカムフォロア２７ｂ、２７ｃと係合する位置であり、この位置から矢印方向に摺動されればカムフォロアを係合して変倍レンズをズーミングし、矢印と逆方向に摺動されれば、係合が解除されることになる。
ここで、位置Ａと位置Ｂの間は、ズーミングが行われる使用領域であり、位置Ｂから位置Ｃの間がズーミングが行われない不使用領域である。
【００３０】
このように、カム溝３１において、使用領域と不使用領域を連続して形成して端部まで繋げたことで、カム溝３１に係合しているカムフォロア２７ｂ、２７ｃを円滑に、円弧状カムの端部まで移動させることができる。
また、不使用領域の位置Ｃにおいて、カム溝３１とカムフォロア２７ｂ、２７ｃをとの係合を解除するようにしたので、使用領域では、カム溝とカムフォロアの係合を確実に保持することができる。
【００３１】
図７は、円弧状カム２１が不使用領域にあるときの変倍レンズ２７、２８の状態を示している。この場合、付勢部材２９の力量がゼロになる距離ａで、変倍レンズ２７、２８は当接面２７ａにて当接し、略固定されている。
このようにすることで、円弧状カム２１をカムフォロアに嵌合させる際に変倍レンズ２７、２８に付勢を付ける必要がなく、組み付け性を向上させることが出来る。
また、不使用領域で円弧状カム２１を取り付けることにより、良好な性能の確保と組み付性を確保することができるようになった。
【００３２】
以上説明したズームファインダ装置及びそれを備えたズーム鏡胴は、ビデオカメラやデジタルカメラなどファインダを備えた光学機器に適用可能であることは言うまでもない。
【図面の簡単な説明】
【００３３】
【図１】本発明の第１の実施例にかかるファインダ装置を用いたズーム鏡筒の概略図。
【図２】本発明に係る円筒形カムの構造を説明する概略図。
【図３】本発明に係るズームファインダ装置の分解斜視図。
【図４】筒状部を連結ギア付近で切断した断面図。
【図５】ファインダカムの展開図。
【図６】本発明の第２の実施例に係るファインダ装置の外観図。
【図７】ファインダ装置中の変倍レンズを示す説明図。
【図８】第３の位置における変倍レンズと円弧状カムの位置関係を示す図。
【図９】円弧状カム上に形成されているカム溝の一例の展開図。
【符号の説明】
【００３４】
１  鏡筒変倍カム、２  ズームファインダ装置本体、３  筒状部、２ａ、３ａ、４ｂ、４ｃ  凸部、３ｂ、３ｃ  カム面、３ｄ  ファインダカム、４  連結ギア、５  付勢部材、６、７  変倍レンズ、６ａ、７ａ  カムフォロア、１０  ズーム鏡筒、１１  円筒形カム、２１  円弧状カム、２１ａ、２２ａ  ストッパ、２３  変倍レンズ、２４  ファインダ装置本体、２４ａ  ファインダ枠上、２４ｂ  ファインダ枠下、２６  軸、２７、２８  変倍レンズ、２９  付勢部材、３１  カム溝
【図１】
2008070843.tif 000003
【図２】
2008070843.tif 000004
【図３】
2008070843.tif 000005
【図４】
2008070843.tif 000006
【図５】
2008070843.tif 000007
【図６】
2008070843.tif 000008
【図７】
2008070843.tif 000009
【図８】
2008070843.tif 000010
【図９】
2008070843.tif 000011